(57)【要約】【課題】カード機能とリーダライタ機能を有するＲＦＩＤのアンテナ構成において、アンテナ面積を大きくすることなく、各機能に対して最適なリアクタンス値を設定可能としたアンテナ装置及び携帯情報端末を提供する。【解決手段】アンテナ装置は、ＲＦＩＤ用のアンテナ素子として１つのループアンテナ１１を備え、このループアンテナ１１には途中にタップ１２を有している。ループアンテナ１１の一端の端子Ａには、カード機能及びリーダライタ機能の受信回路１６と、カード機能の送信回路１７とが接続される。ループアンテナ１１の途中のタップ１２の端子Ｂには、スイッチ１４を介して、リーダライタ機能の送信回路１８がループアンテナ１１と切り離し可能に接続される。ループアンテナ１１の全体がカード機能において用いられ、ループアンテナ１１の中間のタップ１２までの一部がリーダライタ機能の送信において用いられる。【選択図】図１
2009153023.tif 000002
【特許請求の範囲】
【請求項１】
ＲＦＩＤにおけるカード機能とリーダライタ機能とに対応可能なアンテナ装置であって、
第１のリアクタンス値を有する第１のループと、
前記第１のループの一部であって、前記第１のリアクタンス値より小さい第２のリアクタンス値を有する第２のループと、を有し、
前記第１のループは、前記カード機能の送受信と前記リーダライタ機能の受信に用いられ、
前記第２のループは、前記リーダライタ機能の送信に用いられる、アンテナ装置。
【請求項２】
請求項１記載のアンテナ装置であって、
前記カード機能は、他のリーダライタまたはＲＦＩＤから電波を受波して他によってデータを読み取られる機能であり、
前記リーダライタ機能は、他のＲＦＩＤへ電波を送波して他からデータを読み取る機能であるアンテナ装置。
【請求項３】
請求項１記載のアンテナ装置であって、
前記第１のループの一端は、前記カード機能及び前記リーダライタ機能の受信回路、及び前記カード機能の送信回路と接続され、前記第１のループの途中にある前記第２のループの一端は、前記リーダライタ機能の送信回路と接続されるアンテナ装置。
【請求項４】
請求項１記載のアンテナ装置であって、
前記第２のリアクタンス値は、前記第１のリアクタンス値の略半分であるアンテナ装置。
【請求項５】
請求項１記載のアンテナ装置であって、
前記第１のループ及び前記第２のループは、巻回したコイル状のループアンテナからなり、前記第２のループは、前記第１のループより巻数が少ないアンテナ装置。
【請求項６】
請求項５記載のアンテナ装置であって、
前記第２のループの巻数は、前記第１のループの巻数の略半分であるアンテナ装置。
【請求項７】
請求項１記載のアンテナ装置であって、
前記第１のループの途中にある前記第２のループの一端と、前記リーダライタ機能の送信回路との信号ラインには、前記カード機能の動作時に前記第２のループと前記リーダライタ機能の送信回路とを切り離すスイッチを備えるアンテナ装置。
【請求項８】
請求項１〜７のいずれかに記載のアンテナ装置を備える携帯情報端末。
【発明の詳細な説明】
【技術分野】
【０００１】
本発明は、ＲＦＩＤシステムに用いられるアンテナ装置及び携帯情報端末に関する。
【背景技術】
【０００２】
近接通信や近距離通信等の非接触通信を用いた無線通信によってカード状媒体や携帯情報端末等に搭載したＩＣチップに対して情報の読み取り、書き込みを行う、いわゆるＲＦＩＤ（Radio Frequency Identification）を用いたシステムが種々提案され、実用化されている。ＲＦＩＤの一例として、カード状媒体や携帯情報端末にアンテナ及びＩＣチップを搭載し、駅の改札等の交通機関の入退場及び料金清算、レジ等における各種料金の決済などを可能にしたＦｅｌｉｃａ（登録商標）が普及している。
【０００３】
この種のＲＦＩＤは、情報を保持する媒体側（受動型ＲＦＩＤ）として機能するカード機能と、この媒体に対して情報の読み取り、書き込みを行うリーダライタ（Ｒ／Ｗ）側（能動型ＲＦＩＤ）として機能するリーダライタ機能とを有している。カード機能は、駅の改札や商店のレジなどに設置されたリーダライタと通信し、主にリーダライタからデータの書き込みや読み取りがなされる機能であり、受信がメインの受動型機能である。一方、リーダライタ機能は、自身がリーダライタとなり、他のＲＦＩＤ（他端末やポスター埋込のＩＣチップなど受動型ＲＦＩＤ）と通信し、主に他のＲＦＩＤに対してデータの書き込みや読み取りを行う機能であり、送信がメインの能動型機能である。
【０００４】
携帯電話機などの携帯情報端末に搭載したＲＦＩＤには、上記のカード機能とリーダライタ機能の双方を備えるものがある。ＲＦＩＤに設けるループアンテナ等のアンテナは、受動型のカード機能と能動型のリーダライタ機能のそれぞれの機能ごとにアンテナのリアクタンス値に最適値がある。上記のように２つの機能を備えるＲＦＩＤでは、各機能に対応したアンテナを設ける必要があるが、従来は開口面積の大きいループアンテナを使用しているので、リアクタンス値をそれぞれの機能ごとに最適にしなくても、必要なスペック（送信特性や受信特性等の性能、仕様）を満足できていた。
【０００５】
図５は２つの機能を持つＲＦＩＤに用いられる従来のアンテナ装置の第１例を示す図である。第１例のアンテナ装置は、１アンテナ方式の構成例であり、１つのループアンテナ５１を備える。このアンテナ装置は、ループアンテナ５１とコンデンサ５３とにより共振回路を構成し、ＩＣチップ等で構成されるＲＦＩＤ部５５と接続され、送信信号及び受信信号を他のリーダライタやＲＦＩＤとＲＦＩＤ部５５との間でやり取りする。この場合、カード機能及びリーダライタ機能の受信、カード機能の送信、リーダライタ機能の送信の各動作においてそれぞれに対応した回路及び端子を通して信号を伝送する。すなわち、インダクタンス値Ｌ５１を持つ１つのループアンテナ５１によってカード機能とリーダライタ機能の２つの機能に対応する構成である。この構成では、アンテナ装置はカード機能とリーダライタ機能の双方において最適なリアクタンス値とはなっていないが、ループアンテナの開口面積を大きくすることで、それぞれの機能に必要なスペックを満足することができる。
【０００６】
図６は２つの機能を持つＲＦＩＤに用いられる従来のアンテナ装置の第２例を示す図である。第２例のアンテナ装置は、２アンテナ方式の構成例であり、互いにＭ結合した２つのループアンテナ６１、６２を備える。このアンテナ装置は、ループアンテナ６１、６２とコンデンサ６３とにより共振回路を構成し、ＩＣチップ等で構成されるＲＦＩＤ部５５と接続され、送信信号及び受信信号を他のリーダライタやＲＦＩＤとＲＦＩＤ部５５との間でやり取りする。第２例では、インダクタンス値Ｌ６１を持つループアンテナ６１によってカード機能及びリーダライタ機能の受信と、カード機能の送信に対応する。また、インダクタンス値Ｌ６２を持つループアンテナ６２によってリーダライタ機能の送信に対応する。すなわち、それぞれの機能毎に２つのループアンテナ６１、６２を備えている。
【０００７】
なお、複数の周波数に対応するためにアンテナ装置の共振周波数を切り替える方式としては、コンデンサを切り替える方式（例えば特許文献１参照）、インダクタを切り替える方式（例えば特許文献２参照）などが知られている。
【特許文献１】特開２００１−３４４５７４号公報
【特許文献２】特開２００１−０６７４４７号公報
【発明の開示】
【発明が解決しようとする課題】
【０００８】
最近では、装置の小型化が進み、携帯情報端末等にＲＦＩＤを搭載する場合に、スペースの制約によりアンテナの開口面積が小さくなってきている。上記従来例の第１例のように、１つのループアンテナで２つの機能に対応する場合、アンテナの開口面積が大きい場合はそれぞれの機能における最適なリアクタンス値から多少ずれていても所定のスペックを満足することが可能である。しかしながら、装置の小型化に伴ってアンテナの開口面積が小さくなると、１つのループアンテナではそれぞれの機能において所定のスペックを満足して十分に性能を確保できないことがある。
【０００９】
一方、上記従来例の第２例のように、機能毎にループアンテナを設ける場合は、それぞれの機能で最適なリアクタンス値に設定することは可能である。しかしながら、この構成はアンテナが２つ必要であり、そのために大きな設置面積が必要となるので、装置の小型化に適応できなくなってくる。さらに、一方のループアンテナ６２が他方のループアンテナ６１に悪影響を与えることがあり、ループアンテナの特性を劣化させる傾向にあった。
【００１０】
本発明は、上記事情に鑑みてなされたもので、ＲＦＩＤのカード機能とリーダライタ機能の双方に対応させる場合に、アンテナ面積を大きくすることなく、装置の小型化に適応できるとともに、それぞれの機能に対して最適なリアクタンス値を設定することが可能なアンテナ装置及び携帯情報端末を提供することを目的とする。
【課題を解決するための手段】
【００１１】
本発明のアンテナ装置は、ＲＦＩＤにおけるカード機能とリーダライタ機能とに対応可能なアンテナ装置であって、第１のリアクタンス値を有する第１のループと、前記第１のループの一部であって、前記第１のリアクタンス値より小さい第２のリアクタンス値を有する第２のループと、を有し、前記第１のループは、前記カード機能の送受信と前記リーダライタ機能の受信に用いられ、前記第２のループは、前記リーダライタ機能の送信に用いられるものである。
上記構成により、ＲＦＩＤのカード機能とリーダライタ機能の双方に対応させる場合に、アンテナ面積を大きくすることなくそれぞれの機能に対して最適なリアクタンス値を実現することが可能となる。このため、装置の小型化に適応可能としながら、それぞれの機能における必要な性能を満足させることができる。
【００１２】
また、本発明は、上記のアンテナ装置であって、前記カード機能は、他のリーダライタまたはＲＦＩＤから電波を受波して他によってデータを読み取られる機能であり、前記リーダライタ機能は、他のＲＦＩＤへ電波を送波して他からデータを読み取る機能であるものを含む。
上記構成により、受信を主としたカード機能と、送信を主としたリーダライタ機能の双方の機能において、それぞれ最適なリアクタンス値を実現することができる。
【００１３】
また、本発明は、上記のアンテナ装置であって、前記第１のループの一端は、前記カード機能及び前記リーダライタ機能の受信回路、及び前記カード機能の送信回路と接続され、前記第１のループの途中にある前記第２のループの一端は、前記リーダライタ機能の送信回路と接続されるものを含む。
上記構成により、カード機能及びリーダライタ機能の受信、並びにカード機能の送信において第１のリアクタンス値を持つ第１のループが機能して用いられ、リーダライタ機能の送信において第１のループの一部である第２のリアクタンス値を持つ第２のループが機能して用いられることで、それぞれの機能に対して最適なリアクタンス値を実現して動作させることができる。
【００１４】
また、本発明は、上記のアンテナ装置であって、前記第２のリアクタンス値は、前記第１のリアクタンス値の略半分であるものを含む。
上記構成により、第２のリアクタンス値を簡単な構成で設定でき、カード機能及びリーダライタ機能に対してそれぞれ最適なインダクタンス値を実現できる。
【００１５】
また、本発明は、上記のアンテナ装置であって、前記第１のループ及び前記第２のループは、巻回したコイル状のループアンテナからなり、前記第２のループは、前記第１のループより巻数が少ないものを含む。
上記構成により、コイル状のループアンテナによって第１のループ及び第２のループを小さい面積で構成することが可能となる。
【００１６】
また、本発明は、上記のアンテナ装置であって、前記第２のループの巻数は、前記第１のループの巻数の略半分であるものを含む。
上記構成により、ループアンテナにおいて第２のリアクタンス値を簡単な構成でかつ小さい面積で設定でき、カード機能及びリーダライタ機能に対してそれぞれ最適なインダクタンス値を実現できる。また、例えば第２のループの巻数を整数とすることで、第２のループの端子を容易に設置することができ、より小型のアンテナ装置を構成できる。
【００１７】
また、本発明は、上記のアンテナ装置であって、前記第１のループの途中にある前記第２のループの一端と、前記リーダライタ機能の送信回路との信号ラインには、前記カード機能の動作時に前記第２のループと前記リーダライタ機能の送信回路とを切り離すスイッチを備えるものを含む。
上記構成により、カード機能の動作時にスイッチをオフして第２のループとリーダライタ機能の送信回路とを切り離すことで、リーダライタ機能動作時の信号ラインに過大な入力が入力されることを防ぐことが可能である。
【００１８】
また、本発明は、上記いずれかに記載のアンテナ装置を備える携帯情報端末を提供する。
上記構成により、アンテナ面積を大きくすることなくカード機能とリーダライタ機能のそれぞれの機能に対して最適なリアクタンス値を設定可能としたアンテナ装置を搭載し、装置の小型化に適応可能であり、かつ、カード機能とリーダライタ機能のそれぞれに必要な性能を満足させるＲＦＩＤを備える携帯情報端末を実現できる。
【発明の効果】
【００１９】
本発明によれば、ＲＦＩＤのカード機能とリーダライタ機能の双方に対応させる場合に、アンテナ面積を大きくすることなく、装置の小型化に適応できるとともに、それぞれの機能に対して最適なリアクタンス値を設定することが可能なアンテナ装置及び携帯情報端末を提供できる。
【発明を実施するための最良の形態】
【００２０】
（第１の実施形態）
本実施形態では、携帯電話機などの携帯情報端末に搭載するＲＦＩＤのアンテナ装置の構成例を示す。本実施形態にかかるＲＦＩＤは、Ｆｅｌｉｃａ（登録商標）等に適用されるもので、情報を保持する媒体側（受動型ＲＦＩＤ）として機能する受動的機能が主体のカード機能と、この媒体に対して情報の読み取り、書き込みを行うリーダライタ（Ｒ／Ｗ）側（能動型ＲＦＩＤ）として機能する能動的機能が主体のリーダライタ機能とを有するものとする。
【００２１】
図１は本発明の第１の実施形態に係るアンテナ装置の概略構成を示す図である。本実施形態のアンテナ装置は、ＲＦＩＤ用のアンテナ素子として１つのループアンテナ１１を備えており、このループアンテナ１１は、中間端子として途中にタップ１２を有している。ループアンテナ１１の両端にはキャパシタンスＣ１のコンデンサ１３が接続され、これらのループアンテナ１１及びコンデンサ１３により構成される共振回路が、メモリや送受信回路等を備えるＩＣチップ等によるＲＦＩＤ部１５と接続されている。
【００２２】
ループアンテナ１１の一端より延出する端子Ａには、ＲＦＩＤ部１５における、カード機能及びリーダライタ機能の受信回路１６と、カード機能の送信回路１７とが接続される。ループアンテナ１１の途中のタップ１２より延出する端子Ｂには、スイッチ１４を介して、ＲＦＩＤ部１５におけるリーダライタ機能の送信回路１８がループアンテナ１１と切り離し可能に接続される。また、ループアンテナ１１の他端より延出する端子Ｃは、コンデンサを介して接地され、ＲＦＩＤ部１５と接続されている。
【００２３】
本実施形態のアンテナ装置は、１つのループアンテナ１１の途中からタップ１２を引き出し、ループアンテナ１１をカード機能とリーダライタ機能のそれぞれで最適なリアクタンス値に設定した状態で兼用可能としている。カード機能の送受信とリーダライタ機能の受信においては、ループアンテナ１１全体が第１のループとして用いられ、第１のリアクタンス値に対応するインダクタンス値Ｌ１によってアンテナの全体を機能させる。また、リーダライタ機能の送信においては、ループアンテナ１１のタップ１２までの一部が第２のループとして用いられ、第２のリアクタンス値に対応するインダクタンス値Ｌ２によってアンテナの一部を機能させる。これにより、カード機能とリーダライタ機能のそれぞれにおいて最適なリアクタンス値を実現する。この際、インダクタンス値Ｌ２がインダクタンス値Ｌ１よりも小さい値となっている。
【００２４】
また、ループアンテナ１１のタップ１２とリーダライタ機能の送信回路１８とを接続するリーダライタ機能用送信ライン（リーダライタ機能動作時の送信信号の信号ライン）の途中にスイッチ１４を設け、カード機能動作時（リーダライタ機能の送信を行わない時）にスイッチ１４をオープンにしてループアンテナ１１と送信回路１８とを切り離す構成としている。これにより、カード機能の受信を行う場合に、リーダライタ機能の送信ラインや送信回路１８に過大入力が入力されることを防ぐことができる。
【００２５】
図２は本実施形態に係るループアンテナの構成例を示す図である。ループアンテナ１１は、ほぼ矩形状に導体が複数巻回されて構成されたコイル状のアンテナである。図１に対応させて、ループアンテナ１１の両端が端子Ａ、Ｃであり、途中のタップ１２より延出する中間端子が端子Ｂである。この構成において、端子Ａがカード機能及びリーダライタ機能の受信回路１６とカード機能の送信回路１７とに接続され、端子Ｂがスイッチ１４を介してリーダライタ機能の送信回路１８と接続される。また、端子Ｃがコンデンサを介して接地されてＲＦＩＤ部１５と接続される。
【００２６】
図２の構成例では、コイル状のループアンテナ１１は、アンテナ全体（端子Ｃから端子Ａまで）が４ターンの巻数であり、タップ１２がほぼ中点に設けられ、ループアンテナ１１の一端からタップ１２まで（端子Ｃから端子Ｂまで）が２ターンの巻数となっている。
【００２７】
ここで、ループアンテナ１１のリアクタンス値（巻数Ｎまたはインダクタンス値Ｌなどで決まる）の関係は図３に示すとおりである。コイル状のループアンテナ１１のリアクタンス値ＸＬは、このコイルのインダクタンス値Ｌ（ｍＨ）で決まる。図３の例では、ループアンテナ１１の全体をインダクタンス値Ｌ１で４ターン、ループアンテナ１１のタップ１２までの一部をインダクタンス値Ｌ２で２ターンとして構成する。この場合、カード機能及びリーダライタ機能の受信においてインダクタンス値Ｌ１が最適となり、カード機能の送信においてもインダクタンス値Ｌ１が最適となり、また、リーダライタ機能の送信においてインダクタンス値Ｌ２が最適となる。
【００２８】
次に、本実施形態に適用するループアンテナ１１のインダクタンス値Ｌ及び巻数Ｎの設定例を示す。ＲＦＩＤのアンテナをカード機能とリーダライタ機能とに兼用する場合、カード機能（受信メイン）の場合にインダクタンス値Ｌ１とし、リーダライタ機能（送信メイン）の場合にインダクタンス値Ｌ２とすると、Ｌ１＞Ｌ２に設定する。送信メインのリーダライタ機能では、直流抵抗成分の抵抗値Ｒをできるだけ小さくするのが好ましい。ただし、ある程度のインダクタンス値Ｌは必要である。インダクタンス値Ｌを小さくしすぎると電波が飛ばなくなるので、所望のスペック（送信特性や受信特性等の性能、仕様）を満たせなくなる。
【００２９】
本実施形態では、図２及び図３の例のように、インダクタンス値Ｌ１はコイルの巻数で４ターン（Ｎ１＝４）、インダクタンス値Ｌ２はコイルの巻数で２ターン（Ｎ２＝２）として構成する。ここでインダクタンス値は、例えばＬ１＝１μＨ、Ｌ２＝０．５μＨに設定する。
【００３０】
このように、１／２×Ｌ１＝Ｌ２ぐらいにするのがそれぞれの機能のスペックを鑑みて回路設計上都合がよい。パターン配置などを考えると、各端子Ａ、Ｂ、Ｃが近接して配置される方が好ましいので、巻数Ｎ１及びＮ２を整数とし、ループアンテナ１１を単数または複数巻回した位置で途中のタップ１２を引き出して、インダクタンス値Ｌ１、Ｌ２を設定するのが適当である。つまり、リアクタンス値を巻数で表現すると、Ｎ１＞Ｎ２≧１とし、上記の適当な具体例では、１／２×Ｎ１＝Ｎ２  （すなわちＮ１＝２×Ｎ２）とするのが好ましい。このようにループアンテナ１１の巻数Ｎ１及びＮ２を整数とすることで、ループアンテナ１１の一端からタップ１２までの第２のループの端子を容易に設置することができ、より小型のアンテナ装置を構成できる。
【００３１】
なお、ループアンテナ１１の巻数は、上記例では全体の巻数Ｎ１を４ターンとしているが、アンテナの開口面積が大きく取れる場合は、Ｎ１を３ターンぐらいとするなど、適宜Ｎ１、Ｎ２を設定すればよい。
【００３２】
上述した第１の実施形態によれば、カード機能とリーダライタ機能とを有するＲＦＩＤのアンテナ装置において、１つのループアンテナのアンテナエレメントによって、アンテナ面積を大きくすることなくそれぞれの機能に対して最適なリアクタンス値を実現することが可能となる。このため、装置の小型化に適応可能としながら、それぞれの機能における必要な性能を満足させることができる。
【００３３】
（第２の実施形態）
図４は本発明の第２の実施形態に係る携帯情報端末の概略構成を示す図である。第２の実施形態は、第１の実施形態のアンテナ装置を携帯電話機などの携帯情報端末に搭載した構成例を示す。
【００３４】
本実施形態の携帯情報端末１１０は、アンテナ装置１０１、ＲＦＩＤ制御部１０３、メモリ１０４、インターフェース（Ｉ／Ｆ）部１０５、中央制御部１１１、表示部１１２、入力部１１３、情報格納部１１４、無線通信部１１５を備えている。
【００３５】
アンテナ装置１０１は、第１の実施形態の構成を有し、外部のリーダライタ２００及びＩＣタグ２１０との間で非接触通信によるデータ送受信を行う。ＲＦＩＤ部１５は、検波、変復調、クロック抽出など、ループアンテナ１１から送受信されるアナログ信号の送受信に関する処理を行う。また、ＲＦＩＤ部１５は、スイッチ１４を制御して、リーダライタ２００と通信を行うカード機能と、ＩＣタグ２１０と通信を行うリーダライタ機能とで送信ラインを切り替える。
【００３６】
ＲＦＩＤ制御部１０３は、送受信データの処理やその他ＲＦＩＤ部１５の動作を統括的に制御する。このＲＦＩＤ制御部１０３には、ＲＦＩＤに関する情報を記憶するメモリ１０４が接続される。メモリ１０４は、電源保持不要で書き込み可能なフラッシュメモリなどで構成され、リーダライタ２００やＩＣタグ２１０とやり取りされる電子マネーや電子チケットなどのバリュー情報などのデータ、及びこれらの電子マネーや電子チケットのＲＦＩＤ機能を実現するアプリケーションなどを格納する。なお、メモリ１０４等をアンテナ装置１０１のＲＦＩＤ部１５に設けるようにしてもよい。
【００３７】
インターフェース部１０５は、ＲＦＩＤ制御部１０３を携帯端末装置１１０の本体と接続するための機能モジュールである。メモリ１０４に書き込まれたデータは、インターフェース部１０５を経由して、携帯情報端末１１０本体側に転送することができる。
【００３８】
中央制御部１１１は、例えばマイクロプロセッサ、ＲＡＭ、ＲＯＭ等で構成され、マイクロプロセッサは、ＲＯＭに格納されたプログラム・コードに従って、ＲＡＭを作業領域に用いて携帯情報端末１１０の動作に関するさまざまな処理を実行する。中央制御部１１１は、インターフェース部１０５経由でＲＦＩＤ部１５にアクセスすることができる。この中央制御部１１１には、アプリケーションやコンテンツデータなどの各種情報を格納する情報格納部１１４が接続されている。情報格納部１１４は、書き込み可能なフラッシュメモリなどで構成され、端末内部の固定メモリ、着脱可能なメモリカードなどが用いられる。
【００３９】
表示部１１２は、例えば液晶表示ディスプレイ等で構成される。この表示部１１２は、ＲＦＩＤ機能の状態、各種処理結果、コンテンツデータの再生結果などを画面出力して表示を行い、ユーザに通知することができる。入力部１１３は、押しボタンキー、多方向スイッチ、ジョグダイヤル、あるいは表示部１１２の表示画面に重ねて配置されたタッチパネルなどで構成され、ユーザが携帯情報端末１１０に対して操作指示やデータの入力等を行うために使用される。無線通信部１１５は、携帯電話等の移動体通信を行うための無線通信機能を有する機能ブロックであり、外部の基地局等を介して他の端末と通信が可能である。これらの携帯情報端末１１０の各部は、バッテリなど図示しない主電源からの給電により駆動する。
【００４０】
カード機能を実行する場合は、携帯情報端末１１０をリーダライタ２００の近傍にかざすことによって、アンテナ装置１０１とリーダライタ２００との間で非接触データ通信が開始される。そして、ＰＩＮなどの暗証番号の照合を経て、リーダライタ２００によりメモリ１０４内の電子チケットや電子マネーなどのバリュー情報などへのアクセスが許可され、データの読み取り、書き込みが行われる。この際、アンテナ装置１０１のスイッチ１４はオフとし、リーダライタ機能用の送信ラインは切り離しておく。
【００４１】
一方、リーダライタ機能を実行してＩＣタグ２１０の情報の読み取りや書き込みを行う場合は、スイッチ１４をオンとしてリーダライタ機能用の送信ラインを接続し、ＲＦＩＤ部１５からリーダライタ機能の送信信号を出力する。これにより、ループアンテナ１１の一部を機能させてＩＣタグ２１０に対して送信を行い、非接触データ通信を開始させる。このとき、ＩＣタグ２１０は、ループアンテナ１１から放射される電波によって活性化される。次に、ＩＣタグ２１０から放射される電波をループアンテナ１１全体を機能させて受信することで、ＩＣタグ２１０からデータを読み取る。ＩＣタグ２１０より読み出された情報は、ＲＦＩＤ制御部１０３で解読され、メモリ１０４に格納したり、表示部１１２に表示することができる。
【００４２】
上述した第２の実施形態では、第１の実施形態に示したアンテナ装置を搭載し、１つのループアンテナのアンテナエレメントによって、アンテナ面積を大きくすることなくカード機能とリーダライタ機能のそれぞれの機能に対して最適なリアクタンス値を設定可能としている。このため、装置の小型化に適応可能であり、かつ、カード機能とリーダライタ機能のそれぞれに必要な性能を満足させるＲＦＩＤを備える携帯情報端末を実現できる。
【００４３】
なお、本発明は上記の実施形態において示されたものに限定されるものではなく、明細書の記載、並びに周知の技術に基づいて、当業者が変更、応用することも本発明の予定するところであり、保護を求める範囲に含まれる。
【産業上の利用可能性】
【００４４】
本発明は、ＲＦＩＤのカード機能とリーダライタ機能の双方に対応させる場合に、アンテナ面積を大きくすることなく、装置の小型化に適応できるとともに、それぞれの機能に対して最適なリアクタンス値を設定することが可能となる効果を有し、例えばＦｅｌｉｃａ（登録商標）等のＲＦＩＤシステムに用いられるアンテナ装置及び携帯情報端末等として有用である。
【図面の簡単な説明】
【００４５】
【図１】本発明の第１の実施形態に係るアンテナ装置の概略構成を示す図
【図２】本実施形態に係るループアンテナの構成例を示す図
【図３】本実施形態に係るループアンテナのリアクタンス値（巻数Ｎまたはインダクタンス値Ｌ）の関係を示す図
【図４】本発明の第２の実施形態に係る携帯情報端末の概略構成を示す図
【図５】２つの機能を持つＲＦＩＤに用いられる従来のアンテナ装置の第１例を示す図
【図６】２つの機能を持つＲＦＩＤに用いられる従来のアンテナ装置の第２例を示す図
【符号の説明】
【００４６】
１１  ループアンテナ
１２  タップ
１３  コンデンサ
１４  スイッチ
１５  ＲＦＩＤ部
１６  受信回路（カード機能及びリーダライタ機能）
１７  送信回路（カード機能）
１８  送信回路（リーダライタ機能）
１０１  アンテナ装置
１０３  ＲＦＩＤ制御部
１０４  メモリ
１０５  インターフェース（Ｉ／Ｆ）部
１１０  携帯情報端末
１１１  中央制御部
１１２  表示部
１１３  入力部
１１４  情報格納部
１１５  無線通信部
２００  リーダライタ
２１０  ＩＣタグ
【図１】
2009153023.tif 000003
【図２】
2009153023.tif 000004
【図３】
2009153023.tif 000005
【図４】
2009153023.tif 000006
【図５】
2009153023.tif 000007
【図６】
2009153023.tif 000008